(57)【要約】【課題】記録媒体が簡単に持ち去られることがないようにした記録媒体収納用ブックカバー及び記録媒体収納冊子を安価に提供する。【解決手段】カバー本体１１を４本の谷折り線によって第１保持片１１ａ、表表紙カバー部１１ｂ、背表紙カバー部１１ｃ、裏表紙カバー部１１ｄ、及び第２保持片１１ｅに区画する。第１保持片１１ａに窓２１を形成し、この窓２１に対面する位置で収納袋部１３を取り付ける。メインシート１２ａにカバーシート１２ｂ，１２ｃの３辺を圧着させて、両側に袋状挿入部２５，２６を有する袋状カバー１２を構成する。収納袋部１３内にＤＶＤ１４を挿入した後に、保持片１１ａ，１１ｅを折り曲げて、カバー本体１１により冊子本体１５を覆う。この冊子本体１５を袋状カバー１２で覆い、記録媒体収納冊子１６を構成する。特殊な製本加工をすることなく、記録媒体収納冊子１６が得られる。【選択図】図２
0003118002.tif 000002
【実用新案登録請求の範囲】
【請求項１】
冊子の表表紙、背表紙及び裏表紙を覆うブックカバーにおいて、
前記表表紙及び裏表紙の表面の少なくとも一方を覆うカバー本体と、
前記カバー本体の縁から延設され、前記縁で折り曲げられて、前記カバー本体で覆われる表紙の裏面を覆う第１の保持片と、
前記カバー本体と前記保持片との間で保持片に取り付けられ、偏平記録媒体を収納する収納袋部と、
前記保持片に形成され、前記収納袋部に収納される偏平記録媒体が観察可能な窓と、
両側に袋状挿入部がその開口部を内側に向けて形成され、この袋状挿入部に、前記カバー本体により覆われた冊子の表表紙及び裏表紙が挿入されて、前記表表紙、背表紙及び裏表紙を覆う合成樹脂製の袋状カバーとを有することを特徴とする偏平記録媒体収納用ブックカバー。
【請求項２】
前記袋状カバーが透明または半透明であることを特徴とする請求項１記載の偏平記録媒体収納用ブックカバー。
【請求項３】
前記カバー本体は、前記表表紙、背表紙、及び裏表紙の表面を覆うように、前記表表紙、背表紙、及び裏表紙と略同じサイズで形成されている表紙カバー部を有することを特徴とする請求項１または２記載の偏平記録媒体収納用ブックカバー。
【請求項４】
前記第１の保持片が覆う表紙とは異なる側の表紙を覆うカバー本体部分の縁から延設され、前記縁で折り曲げられて、前記カバー本体部分の裏面を覆う第２の保持片を有することを特徴とする請求項３記載の偏平記録媒体収納用ブックカバー。
【請求項５】
前記第１及び第２の保持片は、前記表紙カバー部の両側縁に設けられることを特徴とする請求項４項記載の偏平記録媒体収納用ブックカバー。
【請求項６】
前記窓に対応する前記収納袋部に、開口または透明カバーが設けられることを特徴とする請求項１ないし５いずれか１項記載の偏平記録媒体収納用ブックカバー。
【請求項７】
前記収納袋部は前記偏平記録媒体の挿入口を覆う折り返し蓋を有することを特徴とする請求項１ないし６いずれか１項記載の偏平記録媒体収納用ブックカバー。
【請求項８】
請求項１ないし７いずれか１項記載の偏平記録媒体収納用ブックカバーを用いて、前記冊子本体の表紙を覆い、前記収納袋部に前記偏平記録媒体が収納されることを特徴とする偏平記録媒体収納冊子。
【考案の詳細な説明】
【技術分野】
【０００１】
本考案は、ＣＤやＤＶＤに代表される偏平記録媒体を収納可能にしたブックカバー及びこれを用いた偏平記録媒体収納冊子に関するものである。
【背景技術】
【０００２】
従来、雑誌や書籍などの冊子に、ＣＤやＤＶＤなどの記録媒体を添付する場合に、透明フィルムや紙からなる封筒状ホルダや、合成樹脂製の透明カバー及び不織布からなる圧着ホルダ等を使用し、これらホルダに記録媒体を収納したものを、表表紙や裏表紙の裏面や冊子の所定頁などに貼ったり、綴じたりしていた（例えば、特許文献１〜３参照）。また、冊子の２頁分以上のサイズの紙片を加工して、袋状のホルダ等を用いることなくＣＤ等の記録媒体を収納可能にしたＣＤ付き冊子も提案されている（例えば、特許文献４、５参照）。
【特許文献１】特開平９−１７５５８２号公報
【特許文献２】特開平１０−８７５号公報
【特許文献３】特開２００３−２６２７４号公報
【特許文献４】特開２００２−１１９７３号公報
【特許文献５】特開２０００−２３８４６２号公報
【考案の開示】
【考案が解決しようとする課題】
【０００３】
しかしながら、特許文献１〜３のように、袋状ホルダ等を用いて記録媒体を冊子に収納すると、記録媒体を収納したホルダが表紙の裏面などに貼り付けられているだけであるので、簡単に取り外され、この記録媒体のみが持ち去られてしまうという問題がある。また、特許文献４，５のように、冊子内に記録媒体をしっかりと収納してしまうと、簡単には持ち去ることができなくなるものの、製本作業時に記録媒体を収納させるための各種工程が必要になり、製造単価が高くなってしまうという問題がある。
【０００４】
本考案は上記課題を解決するためになされたものであり、記録媒体が簡単に持ち去られることがなく、しかも特殊な作業を必要とすることなく通常の製本作業により、記録媒体を収納した冊子及びこれに用いるブックカバーを安価に提供することを目的とする。
【課題を解決するための手段】
【０００５】
上記目的を達成するために、本考案の偏平記録媒体収納用ブックカバーは、冊子の表表紙、背表紙及び裏表紙を覆うブックカバーにおいて、前記表表紙及び裏表紙の表面の少なくとも一方を覆うカバー本体と、前記カバー本体の縁から延設され、前記縁で折り曲げられて、前記カバー本体で覆われる表紙の裏面を覆う第１の保持片と、前記カバー本体と前記保持片との間で保持片に取り付けられ、偏平記録媒体を収納する収納袋部と、前記保持片に形成され、前記収納袋部に収納される偏平記録媒体が観察可能な窓と、両側に袋状挿入部がその開口部を内側に向けて形成され、この袋状挿入部に、前記カバー本体により覆われた冊子の表表紙及び裏表紙が挿入されて、前記表表紙、背表紙及び裏表紙を覆う合成樹脂製の袋状カバーとを有することを特徴とする。また、本考案は、前記袋状カバーが透明または半透明であることを特徴とする。また、前記カバー本体は、前記表表紙、背表紙、及び裏表紙の表面を覆うように、前記表表紙、背表紙、及び裏表紙と略同じサイズで形成されている表紙カバー部を有することを特徴とする。また、本考案は、前記第１の保持片が覆う表紙とは異なる側の表紙を覆うカバー本体部分の縁から延設され、前記縁で折り曲げられて、前記カバー本体部分の裏面を覆う第２の保持片を有することを特徴とする。また、本考案は、前記第１及び第２の保持片は、前記表紙カバー部の両側縁に設けられることを特徴とする。さらに、本考案は、前記窓に対応する前記収納袋部に、開口または透明カバーが設けられることを特徴とする。また、前記収納袋部は前記偏平記録媒体の挿入口を覆う折り返し蓋を有することを特徴とする。
【０００６】
本考案の偏平記録媒体収納冊子は、上記の偏平記録媒体収納用ブックカバーを用いて、冊子本体の表紙を覆い、前記収納袋部に前記偏平記録媒体が収納されることを特徴とする。
【考案の効果】
【０００７】
冊子の表表紙及び裏表紙の表面の少なくとも一方を覆うカバー本体と、前記カバー本体の縁から延設される第１の保持片と、前記カバー本体と前記保持片との間で保持片に取り付けられ、偏平記録媒体を収納する収納袋部と、前記保持片に形成され、前記収納袋部に収納される偏平記録媒体が観察可能な窓と、両側に袋状挿入部がその開口部を内側に向けて形成され、この袋状挿入部に、前記カバー本体により覆われた冊子の表表紙及び裏表紙が挿入されて、前記表表紙、背表紙及び裏表紙を覆う合成樹脂製の袋状カバーとを有するから、従来のように、製本作業時に表紙や本体頁部分に記録媒体の収納部を形成する必要がなくなり、製本作業を従来の通常の冊子と同じように製造することができる。また、基本的に、収納袋部が取り付けられたカバー本体とこれを覆う袋状カバーとから構成されるため、部品点数が少なく、安価に製造することができる。更に、袋状カバーで表紙の裏面が覆われるため、記録媒体を取り出す際には、冊子を略１８０度に開いた状態で取り出す操作が必要になり、記録媒体の持ち去りが困難になる。さらに、収納袋部の偏平記録媒体挿入口を覆う折り返し蓋を有することにより、折り返し蓋を開ける操作が必要になり、記録媒体の持ち去りが更に困難になる。カバー本体は冊子の表表紙または裏表紙を覆うことが可能であれば、偏平記録媒体収納用カバーとして機能するが、冊子の表表紙、背表紙、及び裏表紙の表面と表表紙及び裏表紙の裏面とを覆うようにカバー本体を構成することにより、一体感が出るとともにカバー本体へ冊子の表紙と同様な印刷を施すことができる。また、紙や合成樹脂などからなる１枚のカバー本体に多様な印刷や箔押しなどを施すことで、装丁することができ、製本段階での装丁を簡略化することができ、その分だけ製造コストを抑えることができる。
【考案を実施するための最良の形態】
【０００８】
図１及び図２に示すように、本考案の偏平記録媒体収納用ブックカバー１０は、カバー本体１１と袋状カバー１２とから構成されており、カバー本体１１内の収納袋部１３内には偏平記録媒体としてのＤＶＤ１４が収納される。このブックカバー１０を用いて冊子本体１５の表表紙１５ａ，背表紙１５ｂ及び裏表紙１５ｃを覆うことにより、ＤＶＤ１４を収納した偏平記録媒体収納冊子１６が構成される。
【０００９】
図３に示すように、カバー本体１１は長方形状の紙製シートから構成されており、４本の平行な谷折り線２０ａ〜２０ｄによって、第１保持片１１ａ、表表紙カバー部１１ｂ、背表紙カバー部１１ｃ、裏表紙カバー部１１ｄ、及び第２保持片１１ｅに区画されている。表表紙カバー部１１ｂは冊子の表表紙１５ａとほぼ同じサイズで構成されている。同様に、背表紙カバー部１１ｃ、裏表紙カバー部１１ｄも、冊子の背表紙１５ｂ、裏表紙１５ｃに対応してほぼ同じサイズで構成されている。
【００１０】
谷折り線２０ｂ，２０ｃは、ほぼ９０度に折り曲げられ、これにより表表紙カバー部１１ｂ、背表紙カバー部１１ｃ、裏表紙カバー部１１ｄによって冊子本体１５の各表紙１５ａ〜１５ｃが覆われる。また、谷折り線２０ａにより第１保持片１１ａが表表紙カバー部１１ｂに対して略１８０度に折り曲げられて、表表紙１５ａが挟まれる。同様にして、谷折り線２０ｄにより第２保持片１１ｅが裏表紙カバー部１１ｄに対して略１８０度に折り曲げられて、裏表紙１５ｃが挟まれる。このカバー本体１１の表面には、冊子本体１５と同様の印刷が施されており、また、各保持片１１ａ，１１ｅの表面にも、冊子本体１５の案内文やＤＶＤ１４のタイトルや取り扱い方法などが印刷されている。
【００１１】
図３に示すように、第１保持片１１ａには丸孔からなる窓２１が形成されており、この窓２１からＤＶＤ１４を観察することができる。窓２１に対応する位置で第１保持片１１ａの裏面には、収納袋部１３が接着剤や粘着テープなどによって取り付けられている。
【００１２】
収納袋部１３は、正方形状の紙製袋から構成されている。窓２１に対応する部分には透明シート２２（図２参照）が貼り付けられており、収納袋部１３内のＤＶＤ１４のタイトルなどが観察可能になっている。また、収納袋部１３の挿入口１３ａを覆うように折り返し蓋１３ｂが延設されている。この折り返し蓋１３ｂで挿入口１３ａを塞ぐように折り返すことにより、収納袋部１３からＤＶＤ１４が脱落することがないように保持される。また、ＤＶＤ１４を取り出す際に折り返し蓋１３ｂを開ける操作が必要になり、取り出し操作が増えることにより、記録媒体収納冊子１６から不正にＤＶＤ１４を取り出すことがより困難になり、持ち去り防止効果が得られる。
【００１３】
収納袋部１３には、折り返し蓋１３ｂを閉じた位置にしたときに、この折り返し蓋１３ｂを押えるための押え片１３ｃが切欠き１３ｄによって形成されている。切欠き１３ｄは円弧状に形成されており、この切欠き１３ｄで囲まれた押え片１３ｃにより折り返し蓋１３ｂを袋部本体１３ｅとの間で挟むことにより、折り返し蓋１３ｂの開放が阻止される。
【００１４】
図２に示すように、袋状カバー１２は透明な合成樹脂製シートから構成されており、本実施形態ではポリ塩化ビニル樹脂（ＰＶＣ）からなるメインシート１２ａ及び２つのカバーシート１２ｂ，１２ｃを有する。そして、これらシート１２ａ〜１２ｃを用いて袋状挿入部２５，２６が形成されている。
【００１５】
袋状挿入部２５，２６は、メインシート１２ａの両端にカバーシート１２ｂ，１２ｃの端縁を合わせるように重ね、メインシート１２ａの両側縁１２ｅ，１２ｆとこれに連続する上縁１２ｇ，１２ｈ、及び下縁１２ｊ，１２ｋとを熱圧着させることにより、形成される。この袋状挿入部２５，２６の挿入開口２５ａ，２６ａは内側に向けて形成されており、これら挿入開口２５ａ，２６ａから、カバー本体１１で覆われた表表紙１５ａ及び裏表紙１５ｃが挿入される。
【００１６】
図４は、袋状カバー１２内にカバー本体１１を収納した状態を示しており、この状態で記録媒体収納用ブックカバー１０が構成される。このブックカバー１０は、冊子本体１５（図２参照）をカバーするとともに、冊子本体１５と対応するＤＶＤ１４（図２参照）を収納するものとして利用される。この他に、本考案のブックカバー１０は、ノートや、日記、手帳やアルバムなどの冊子のカバーとして用いてもよい。この場合には、ノートに記入した参考文献の電子データや、アルバムに貼ったデジカメデータやこれに関連する動画データなどを記録するＤＶＤ−Ｒや、ＤＶＤ−ＲＡＭ、ＣＤ−Ｒ、ＣＤ−ＲＷなどの各種書き込み可能な記録媒体が収納される。また、日記、手帳のカバーとして用いられる場合には、例えばデジカメデータや参考資料の電子データなどが書き込み可能な上記同様の記録媒体に記録される。
【００１７】
図２に示すように、収納袋部１３を有する第１保持片１１ａが挿入される側のカバーシート１２ｂの長さＬ１は、冊子本体１５の表表紙の長さＬ２に対して９５％の長さにされており、収納袋部１３から簡単にＤＶＤ１４が取り出せないようになっている。なお、長さＬ１は、好ましくはＬ２に対して７０％以上９９％であり、より好ましくは８０％以上９５％以下である。また、他方のカバーシート１２ｃの長さＬ３は、袋状挿入部２６への裏表紙１５ｃの挿入が容易で且つ裏表紙１５ｃが袋状挿入部２６から脱落することの無い長さであればよく、例えば冊子本体の表表紙長さＬ２に対して３０〜９０％の範囲内で形成される。なお、本実施形態では縦に長い表表紙１５ａ及び裏表紙１５ｃを有する冊子本体１５を例にとっているが、絵本や図鑑、写真集などのように横に長い表紙を有する冊子本体に対しても本考案が実施可能である。また、矩形の表表紙１５ａ及び裏表紙１５ｃを有する冊子本体１５としているが、三角形、５角形、６角形などの多角形や半円形、ハート形など各種形状の表表紙や裏表紙を有する冊子本体に本考案が実施可能である。
【００１８】
本考案の記録媒体収納冊子１６は以下のように組み立てられる。先ず、図３に示すように、カバー本体１１の収納袋部１３内に冊子本体１５の内容に対応するＤＶＤ１４が入れられ、折り返し蓋１３ｂで閉じられて、押え片１３ｃによって折り返し蓋１３ｂが押えられる。次に、カバー本体１１を谷折り線２０ａ〜２０ｄで谷折し、図２に示すように、この谷折りした第１保持片１１ａと表表紙カバー部１１ｂとの間に冊子本体１５の表表紙１５ａを、裏表紙カバー部１１ｄと第２保持片１１ｅとの間に冊子本体１５の裏表紙１５ｃを挿入する。次に、袋状カバー１２の各袋状挿入部２５，２６にカバー本体１１で覆われた冊子本体１５の表表紙１５ａ及び裏表紙１５ｃを挿入する。これにより、ＤＶＤ１４が収納された記録媒体収納冊子１６を簡単に製造することができる。特に、製本作業時にＤＶＤ１４を綴じ込んだり、ホルダを介して貼り付けたりすることがなく、製本を通常の作業で行うことができ、簡単にしかも安価に製造することができる。
【００１９】
書店やコンビニ等では、図１に示すように、袋状カバー１２でＤＶＤ収納部である収納袋部１３が押えられているため、ＤＶＤ１４を取り出す際には、図５に示すように、表表紙１５ａが挿入された袋状挿入部２５をほぼ冊子本体１５に対して１８０度に開いて、袋状挿入部２５（図２参照）内に指を挿入して、折り返し蓋１３ｂを開き、ＤＶＤ１４を取り出す操作が必要になり、ＤＶＤ１４を簡単には取り出すことができなくなる。このため、ＤＶＤ１４のみの持ち去り予防が図れる。また、購入後には、ＤＶＤ１４を取り出して再生した後に、再度、袋状挿入部２５の収納袋部１３内に収納することができ、冊子本体１５とこれに対応するＤＶＤ１４とが散逸してしまうことがなくなる。
【００２０】
なお、上記実施形態では、カバー本体１１で、冊子本体１５の表表紙１５ａ、背表紙１５ｂ、裏表紙１５ｃを覆うように構成したが、最低限表表紙１５ａまたは裏表紙１５ｃのいずれかを覆うように構成し、これの裏面に保持片１１ａを設けてもよい。この場合でも、袋状カバーで保持片がカバーされ、さらに保持片内の収納袋部でＤＶＤが収納保持されるため、ＤＶＤの持ち去りを困難にすることができる。また、表表紙１５ａを覆う第１保持片１１ａに収納袋部１３を設けたが、裏表紙１５ｃを覆う第２保持片１１ｅに設けてもよく、更には両方に設けてもよい。
【００２１】
また、保持片１１ａ，１１ｅは表表紙カバー部１１ｂ及び裏表紙カバー部１１ｄに谷折り線２０ａ，２０ｄを介して連続させたが、この連続方向は各表紙の側方のみならず上端縁、または下端縁であってもよい。また、収納袋部１３は正方形状の紙製袋から構成したが、ＤＶＤなどの偏平記録媒体を収納保持することができるものであればよく、単に保持片１１ａに正方形状のシートの３辺を貼り付けたものであってもよい。また、シートや袋の形状は正方形に限られず、６角形、半円と長方形とを組み合わせた形状などの各種形状であってよい。また、カバー本体１１や収納袋部１３は紙から構成したが、合成樹脂から構成してもよい。また、カバー本体１１及び収納袋部１３を透明シートから構成してもよい。窓２１の形状は円形としたが、この他に、三角形、四角形、五角形、六角形などの多角形、ハート形状やその他の各種形状などであってもよい。
【００２２】
また、上記実施形態では、冊子本体１５の各表紙１５ａ〜１５ｃと同様の印刷をカバー本体１１に施し、袋状カバー１２を透明なシート１２ａ〜１２ｃから構成したが、袋状カバー１２に冊子本体１５の各表紙１５ａ〜１５ｃと同様の印刷を施す場合には袋状カバー１２を構成するシート部材は、透明に限られず、半透明、白色やその他の色であってもよい。
【００２３】
前記偏平記録媒体としては、ＤＶＤ１４の他に、ＣＤ、光ディスク、光磁気ディスク、ＬＤ等の円形状偏平記録媒体が用いられる。更には、電子的に情報が記録されたメモリカードも偏平記録媒体として収納可能である。
【００２４】
また、冊子本体１５には図示は省略したが通常の表装カバーを施してもよく、この場合には表装カバーを施した状態で本考案の記録媒体収納用ブックカバー１０を用いる。また、表装カバーの裏面には、冊子本体のタイトルとは無関係の図柄やお知らせ、広告などを印刷してもよく、この場合には、カバー本体１１と袋状カバー１２とを取り外して、冊子本体１５と表装カバーのみで使用する際に、冊子本体１５のタイトルなどを隠すことができ、利用範囲が広がる。
【図面の簡単な説明】
【００２５】
【図１】本考案の偏平記録媒体収納冊子の一例を示す斜視図である。
【図２】偏平記録媒体収納冊子を示す分解斜視図である。
【図３】カバー本体の組み立て状態を示す斜視図である。
【図４】本考案の偏平記録媒体収納用ブックカバーの一例を示す斜視図である。
【図５】記録媒体収納冊子からＤＶＤを取り出している状態を示す斜視図である。
【符号の説明】
【００２６】
１０  偏平記録媒体収納用ブックカバー
１１  カバー本体
１１ａ  第１保持片
１１ｂ  表表紙カバー部
１１ｃ  背表紙カバー部
１１ｃ  裏表紙カバー部
１１ｅ  第２保持片
１２  袋状カバー
１３  収納袋部
１３ｂ  折り返し蓋
１４  ＤＶＤ
１５  冊子本体
１５ａ  表表紙
１５ｂ  背表紙
１５ｃ  裏表紙
１６  偏平記録媒体収納冊子
２０ａ〜２０ｄ  谷折り線
２１  窓
２２  透明シート
２５，２６  袋状挿入部
【図１】
0003118002.tif 000003
【図２】
0003118002.tif 000004
【図３】
0003118002.tif 000005
【図４】
0003118002.tif 000006
【図５】
0003118002.tif 000007